(57)【要約】【課題】本発明は放電生成物発生装置に関するもので、放電生成物発生装置の回路部品と充電池との発熱の影響を抑制し、耐久性の更なる向上ができるものである。【解決手段】そしてこの目的を達成するために本発明は、吹出口７と吸込口８とを設けた横長箱形状の本体ケース１と、この本体ケース１内に吸込口８から吹出口７に送風する送風手段２と、放電生成物を発生させる放電生成物発生手段３と、家庭用電源から充電する充放電手段４と、この充放電手段４から送風手段２と放電生成物発生手段３とに印加する電圧を制御する回路基板部５と、送風手段２と放電生成物発生手段３と充放電手段４とが固定されたフレーム部６とを備え、充放電手段４は、本体ケース１における長手方向の一方側面側に設け、放電生成物発生手段３は、本体ケース１における長手方向の他方側面側に設け、充放電手段４と放電生成物発生手段３との間に送風手段２を設けた。【選択図】図２
2014035113.tif 000002
【特許請求の範囲】
【請求項１】
吹出口と吸込口とを設けた横長箱形状の本体ケースと、この本体ケース内に前記吸込口から前記吹出口に送風する送風手段と、放電生成物を発生させる放電生成物発生手段と、家庭用電源から充電する充放電手段と、この充放電手段から前記送風手段と前記放電生成物発生手段とに印加する電圧を制御する回路基板部と、前記送風手段と前記放電生成物発生手段と前記充放電手段とが固定されたフレーム部とを備え、前記充放電手段は、前記本体ケースにおける長手方向の一方側面側に設け、前記放電生成物発生手段は、前記本体ケースにおける長手方向の他方側面側に設け、前記充放電手段と前記放電生成物発生手段との間に前記送風手段を設けた放電生成物発生装置。
【請求項２】
前記回路基板部は、前記送風手段と前記本体ケースの前面部との間に設けることを特徴とする請求項１に記載の放電生成物発生装置。
【請求項３】
前記放電生成物発生手段は、放電生成物発生部と、この放電生成物発生部に高電圧を印加する高電圧回路基板部とからなり、この高電圧回路基板部は、前記フレーム部と前記本体ケースの背面部との間に設けることを特徴とする請求項１または２に記載の放電生成物発生装置。
【請求項４】
前記本体ケースは、天面に前記吹出口を有し、背面に前記吸込口を備え、前記送風手段は、前記フレーム部の前記本体ケースにおける背面側に固定されたスクロール形状のケーシングと、このケーシングに固定されたモータと、このモータによって回転する羽根からなり、前記ケーシングは、前記吹出口に対向して吐出口を有し、前記吸込口に対向して吸気口を備え、前記フレーム部には、前記本体ケースの前記吸込口と前記ケーシングの前記吸気口とを連通する枠部を有し、この枠部の一部は、前記ケーシングと前記高電圧回路基板部との間に位置する構成を特徴とすることを特徴とする請求項１から３のいずれかに記載の放電生成物発生装置。
【請求項５】
前記枠部の一部は、前記ケーシングと前記充放電手段との間に位置する構成を特徴とする請求項４に記載の放電生成物発生装置。
【請求項６】
前記本体ケースは、第１の本体ケース部と第２の本体ケース部とからなり、前記ケーシングと前記高電圧回路基板部との間に位置する前記枠部には、開口である孔部を設けたことを特徴とすることを特徴とする請求項４または５に記載の放電生成物発生装置。
【請求項７】
前記フレーム部の上部には、前記回路基板部と前記ケーシングの前記吸気口とを連通する連通孔部を設けたことを特徴とすることを特徴とする請求項４から６のいずれかに記載の放電生成物発生装置。
【発明の詳細な説明】
【技術分野】
【０００１】
本発明は、高電圧を印加することにより放電生成物を生成し、除菌や脱臭を行なう放電生成物発生装置に関する。
【背景技術】
【０００２】
従来のこの種の放電生成物発生装置の構成は以下のようになっていた。
【０００３】
すなわち、吹出口と吸込口とを設けた横長箱形状の本体ケースと、この本体ケース内に前記吸込口から前記吹出口に送風する送風手段と、放電生成物を発生させる放電生成物発生手段と、前記送風手段と前記放電生成物発生手段とに印加する電圧を制御する回路基板部とを備えた構成となっていた。（例えば、これに類似する先行文献は下記特許文献１に記載されている。）
【先行技術文献】
【特許文献】
【０００４】
【特許文献１】特開２０１１−０３３３０４号公報
【発明の概要】
【発明が解決しようとする課題】
【０００５】
上記従来例における課題は、耐久性の更なる向上ということであった。
【０００６】
すなわち、放電生成物を生成する方法は、高電圧を発生させて放電させることが一般的である。この場合に、本体ケース内の放電生成物発生手段からの発熱が大きくなる。更に、充電池を搭載すると、充電池自身も発熱する。
【０００７】
このように、放電生成物発生手段、および充電池が発熱するので、お互いが、お互いの発熱の影響で更に温度が上昇し、それぞれの耐久性が下る。
【０００８】
そこで本発明は、放電生成物発生手段と充電池との発熱の影響を抑制し、耐久性の更なる向上を目的とするものである。
【課題を解決するための手段】
【０００９】
そしてこの目的を達成するために本発明は、吹出口と吸込口とを設けた横長箱形状の本体ケースと、この本体ケース内に前記吸込口から前記吹出口に送風する送風手段と、放電生成物を発生させる放電生成物発生手段と、家庭用電源から充電する充放電手段と、この充放電手段から前記送風手段と前記放電生成物発生手段とに印加する電圧を制御する回路基板部と、前記送風手段と前記放電生成物発生手段と前記充放電手段とが固定されたフレーム部とを備え、前記充放電手段は、前記本体ケースにおける長手方向の一方側面側に設け、前記放電生成物発生手段は、前記本体ケースにおける長手方向の他方側面側に設け、前記充放電手段と前記放電生成物発生手段との間に前記送風手段を設けた構成であり、これにより、初期の目的を達成するものである。
【発明の効果】
【００１０】
以上のように本発明は、吹出口と吸込口とを設けた横長箱形状の本体ケースと、この本体ケース内に前記吸込口から前記吹出口に送風する送風手段と、放電生成物を発生させる放電生成物発生手段と、家庭用電源から充電する充放電手段と、この充放電手段から前記送風手段と前記放電生成物発生手段とに印加する電圧を制御する回路基板部と、前記送風手段と前記放電生成物発生手段と前記充放電手段とが固定されたフレーム部とを備え、前記充放電手段は、前記本体ケースにおける長手方向の一方側面側に設け、前記放電生成物発生手段は、前記本体ケースにおける長手方向の他方側面側に設け、前記充放電手段と前記放電生成物発生手段との間に前記送風手段を設けたものであり、
これにより、放電生成物発生手段と充放電手段とが、お互いの発熱の影響を抑制し、耐久性の更なる向上を目的とするものである。
【００１１】
すなわち、充放電手段は、本体ケースにおける長手方向の一方側面側に設け、放電生成物発生手段は、本体ケースにおける長手方向の他方側面側に設け、充放電手段と放電生成物発生手段との間に送風手段を設けた。これにより、発熱する放電生成物発生手段と充放電手段との間に、送風によって冷却されると共に放電生成物発生手段と充放電手段より発熱の小さい送風手段が位置するので、この送風手段によって、放電生成物発生手段から充放電手段へと、充放電手段から放電生成物発生手段への熱の行き来が抑えられ、結果として、放電生成物発生手段と充放電手段とが、お互いの発熱の影響を抑制することができる。
【図面の簡単な説明】
【００１２】
【図１】本発明の実施の形態１の放電生成物装置の概略図
【図２】同放電生成物装置の概略断面を示す図
【図３】同放電生成物装置の本体ケース部の斜視図
【図４】同放電生成物装置の放電生成物発生部の斜視図
【図５】同放電生成物装置の放電生成物発生部の斜視図
【図６】同放電生成物装置の本体ケース部の他方側側面を示す図
【図７】同放電生成物装置の送風手段を示す図
【図８】同放電生成物装置の概略断面を示す図
【発明を実施するための形態】
【００１３】
以下、本実施形態を添付図面を用いて説明する。
【００１４】
（実施の形態１）
図１から図３、および図８に示すように、本実施形態の放電生成物発生装置は、本体ケース１と、この本体ケース１内に設けた送風手段２と、放電生成物発生手段３と、充放電手段４と、回路基板部５と、フレーム部６とからなる。
【００１５】
本体ケース１は、横長箱形状で天面には吹出口７を備え、背面には吸込口８を設けたものである。
【００１６】
送風手段２は、本体ケース１内の吸込口８と吹出口７とを連通する風路に設けられている。送風手段２によって、本体ケース１の吸込口８から本体ケース１内に吸い込まれた空気が、本体ケース１の吹出口７から本体ケース１外へ送風される。
【００１７】
放電生成物発生手段３は、本体ケース１の長手方向の一方側に位置し、放電生成物を発生させるもので、放電生成物発生手段３は、放電生成物発生部９と高電圧回路基板部１０とからなる。放電生成物発生部９は、後述するケーシング２３の吐出口２６の近傍に位置し、連通路１１を介してケーシング２３内と連通している。放電生成物発生部９は、図４、図５に示すように、放電電極１２と、この放電電極１２に対向して配置された対向電極１３とを有している。この放電電極１２を冷却する冷却部として配置したペルチェ素子１４を備えている。高電圧回路基板部１０は、これらの対向電極１３と放電電極１２間に高電圧（この実施形態では−３．９ＫＶ）を印加するものである。
【００１８】
ペルチェ素子１４には０．７５Ｖ〜２．８Ｖ程度の電圧を印加するものであり、この実施形態では、放電電極１２側を低温にする。この放電電極１２部分で冷却されることで、結露すると、放電生成物の１例である帯電微粒子水が発生することになる。この帯電微粒子水は、送風手段２によって、本体ケース１の吹出口７から本体ケース１外へ送風される空気によって、連通路１１を介して誘引される。誘引された帯電微粒子水は、送風手段２によって、本体ケース１の吸込口８から本体ケース１内に吸い込まれた空気と共に、本体ケース１の吹出口７から本体ケース１外へ送風される。この帯電微粒子水中のヒドロキシルラジカルが臭いと反応し、それを酸化させることで、臭いを分解することができるのである。
【００１９】
ヒドロキシルラジカルはヒドロキシ基（水酸基）に反応するラジカルであり、このラジカルは通常２個１組で軌道上を回転しているはずの電子が１つしかないので、電気的に非常に不安定で、周りの原子や分子から欠けた電子を奪おうとするために、酸化力が非常に強いものであり、この酸化作用により臭いが分解、除去されるのである。
【００２０】
充放電手段４は、家庭用電源から充電でき、本体ケース１の長手方向の他方側の収納部１５内に位置する。この充放電手段４は、図２に示すように、充電池１６と、充電池側接続部１７とからなる。充電池１６の１例は、ニッケル水素蓄電池である。充電池１６は、充電池側接続部１７によって、回路基板部５と電気的に接続されている。
【００２１】
回路基板部５は、充放電手段４から送風手段２と放電生成物発生手段３とに印加する電圧を制御できる。回路基板部５は、回路部品（図示せず）と、回路基板側接続部１８と、基板部１９とからなる。基板部１９には、複数の回路部品と、回路基板側接続部１８とが装着されている。回路基板側接続部１８は、充電池側接続部１７と回路基板部５とを電気的に接続する。回路基板部５には、電源プラグ部２０が着脱自在に設けられている。この電源プラグ部２０の一方は、回路基板部５と電気的に接続し、他方を家庭用電源であるコンセントに繋ぐと、充電池１６に電気が充電される。充電池１６に電気が充電されると、電源プラグ部２０を家庭用電源であるコンセントから外した状態でも、この充電された充電池１６から、送風手段２と放電生成物発生手段３とに電圧を印加できる。収納部１５は、図６に示すように、本体ケース１の長手方向の一方側側面において、本体ケース１が内方へ窪んだ形状である。この収納部１５には、収納部１５と本体ケース１内とを連通する連通孔２１と、収納部１５に充放電手段４を収納した状態で収納部１５を覆う収納蓋部２２とを備えている。
【００２２】
フレーム部６は、横長四角形状の平板で、本体ケース１の前面側と背面側とを仕切るように設けられている。フレーム部６の本体ケース１おける前面側には、回路基板部５が固定され、フレーム部６の本体ケース１おける背面側には、送風手段２が固定されている。
【００２３】
送風手段２は、図２に示すように、ケーシング２３と、このケーシング２３に固定されたモータ２４と、このモータ２４によって回転する羽根２５とからなり、モータ２４の回転軸は、本体ケース１における前後方向に伸びたものである。
【００２４】
本実施形態における特徴点は、送風手段２と放電生成物発生手段３と充放電手段４との位置関係にある。これら送風手段２と放電生成物発生手段３と充放電手段４とは、フレーム部６に固定されている。ここで、充放電手段４は、本体ケース１における長手方向の一方側面側に設け、放電生成物発生手段３は、本体ケース１における長手方向の他方側面側に設け、充放電手段４と放電生成物発生手段３との間に送風手段２を設けた点である。
【００２５】
これにより、放電生成物発生手段３と充放電手段４とが、お互いの発熱の影響を抑制し、耐久性の更なる向上を目的とするものである。
【００２６】
すなわち、充放電手段４は、本体ケース１における長手方向の一方側面側に設け、放電生成物発生手段３は、本体ケース１における長手方向の他方側面側に設け、充放電手段４と放電生成物発生手段３との間に送風手段２を設けた。これにより、発熱する放電生成物発生手段３と充放電手段４との間に、送風によって冷却されると共に放電生成物発生手段３と充放電手段４より発熱の小さい送風手段２が位置するので、この送風手段２によって、放電生成物発生手段３から充放電手段４へと、充放電手段４から放電生成物発生手段３への熱の行き来が抑えられ、結果として、放電生成物発生手段３と充放電手段４とが、お互いの発熱の影響を抑制することができる。
【００２７】
回路基板部５は、送風手段２と本体ケース１の前面部との間に設けるものである。具体的には、送風手段２は、フレーム部６に固定されているので、回路基板部５は、フレーム部６と本体ケース１の前面部との間に位置する構成である。これにより、回路基板部５の発熱は、本体ケース１の前面部、またはフレーム部６を介して送風手段２に伝わる。本体ケース１の前面部に伝わった発熱は、本体ケース１の外面に接する空気によって冷却され、フレーム部６を介して送風手段２に伝わった発熱は、送風手段２内に送風される本体ケース１外の空気によって冷却される。結果として、回路基板部５からの発熱による本体ケース１内の温度上昇を抑制できる。
【００２８】
放電生成物発生手段３は、放電生成物発生部９と、この放電生成物発生部９に高電圧を印加する高電圧回路基板部１０とからなる。この高電圧回路基板部１０は、放電生成物発生手段３での主たる発熱源である。この高電圧回路基板部１０は、フレーム部６と本体ケース１の背面部との間に設けるものである。すなわち、高電圧回路基板部１０は、フレーム部６を境に本体ケース１の背面側に位置し、回路基板部５は、フレーム部６を境に本体ケース１の前面側に位置する。このように、高電圧回路基板部１０と回路基板部５とが、フレーム部６を挟んで異なる位置となり、高電圧回路基板部１０と回路基板部５とが、お互いの発熱の影響を抑制することができる。
【００２９】
本体ケース１は、天面に吹出口７を有し、背面に吸込口８を備え、送風手段２は、フレーム部６の本体ケース１における背面側に固定されたスクロール形状のケーシング２３と、このケーシング２３に固定されたモータ２４と、このモータ２４によって回転する羽根２５からなる。ケーシング２３は、吹出口７に対向して吐出口２６を有し、吸込口８に対向して吸気口２７を備え、フレーム部６には、本体ケース１の吸込口８とケーシング２３の吸気口２７とを連通する枠部２８を有する。この枠部２８は、フレーム部６におけるケーシング２３の外周近くから、本体ケース１の吸込口８のす周縁部に伸びた筒形状である。この枠部２８の一部は、ケーシング２３と高電圧回路基板部１０との間に位置するものである。これにより、高電圧回路基板部１０での発熱が、本体ケース１における長手方向の他方側から、一方側の充放電手段４へ流れこむのを抑制できる。
【００３０】
枠部２８の一部は、ケーシング２３と充放電手段４との間に位置するものである。これにより、充放電手段４での発熱が、本体ケース１における長手方向の一方側から、他方側の高電圧回路基板部１０へ流れこむのを抑制できる。
【００３１】
本体ケース１は、第１の本体ケース部２９と第２の本体ケース部３０とからなる。ケーシング２３と高電圧回路基板部１０との間に位置する枠部２８には、開口である孔部３１を設けたものである。本体ケース１は、第１の本体ケース部２９と第２の本体ケース部３０との２つの部品が固定され形成している。これらの２つの部品の接触部分には、僅かながら隙間３３を有するものである。この隙間３３は、一方側側面では、上面側周縁部と、本体ケース１における前面側および背面側周縁部に位置し、他方側側面では、上面側周縁部と、本体ケース１における前面側および背面側周縁部に位置する。本体ケース１の前面側、および背面側では本体ケース１における底面側周縁部に位置する。
【００３２】
ここで、ケーシング２３と高電圧回路基板部１０との間に位置する枠部２８には、開口である孔部３１を設けたので、送風手段２によって本体ケース１における他方側側面の隙間３３から吸い込まれた本体ケース１外の空気が、高電圧回路基板部１０に流れ込み、更に、孔部３１を介してケーシング２３の吸気口２７に吸い込まれる。そして、本体ケース１の吹出口７から本体ケース１外へ送風される。これにより、高電圧回路基板部１０で発生した熱も同時に本体ケース１外へ送風され、本体ケース１内の温度上昇を抑制できる。
【００３３】
フレーム部６の上部には、回路基板部５とケーシング２３の吸気口２７とを連通する連通孔部３２を設けたものである。具体的には、フレーム部６の上部と枠部２８の上部とに連通孔部３２を設けたものである。ここで、フレーム部６の上部には、回路基板部５とケーシング２３の吸気口２７とを連通する連通孔部３２を設けたので、送風手段２によって本体ケース１における前面側の隙間３３から吸い込まれた本体ケース１外の空気が、回路基板部５に流れ込み、更に、連通孔部３２を介してケーシング２３の吸気口２７に吸い込まれる。そして、本体ケース１の吹出口７から本体ケース１外へ送風される。これにより、回路基板部５で発生した熱も同時に本体ケース１外へ送風され、本体ケース１内の温度上昇を抑制できる。
【産業上の利用可能性】
【００３４】
以上のように本発明は、吹出口と吸込口とを設けた横長箱形状の本体ケースと、この本体ケース内に前記吸込口から前記吹出口に送風する送風手段と、放電生成物を発生させる放電生成物発生手段と、家庭用電源から充電する充放電手段と、この充放電手段から前記送風手段と前記放電生成物発生手段とに印加する電圧を制御する回路基板部と、前記送風手段と前記放電生成物発生手段と前記充放電手段とが固定されたフレーム部とを備え、前記充放電手段は、前記本体ケースにおける長手方向の一方側面側に設け、前記放電生成物発生手段は、前記本体ケースにおける長手方向の他方側面側に設け、前記充放電手段と前記放電生成物発生手段との間に前記送風手段を設けたものであり、
これにより、放電生成物発生手段と充放電手段とが、お互いの発熱の影響を抑制し、耐久性の更なる向上を目的とするものである。
【００３５】
すなわち、充放電手段は、本体ケースにおける長手方向の一方側面側に設け、放電生成物発生手段は、本体ケースにおける長手方向の他方側面側に設け、充放電手段と放電生成物発生手段との間に送風手段を設けた。これにより、発熱する放電生成物発生手段と充放電手段との間に、送風によって冷却されると共に放電生成物発生手段と充放電手段より発熱の小さい送風手段が位置するので、この送風手段によって、放電生成物発生手段から充放電手段へと、充放電手段から放電生成物発生手段への熱の行き来が抑えられ、結果として、放電生成物発生手段と充放電手段とが、お互いの発熱の影響を抑制することができる。
【００３６】
従って、家庭用、事務所用などの、放電生成物装置として活用が期待されるものである。
【符号の説明】
【００３７】
１    本体ケース
２    送風手段
３    放電生成物発生手段
４    充放電手段
５    回路基板部
６    フレーム部
７    吹出口
８    吸込口
９    放電生成物発生部
１０  高電圧回路基板部
１１  連通路
１２  放電電極
１３  対向電極
１４  ペルチェ素子
１５  収納部
１６  充電池
１７  充電池側接続部
１８  回路基板側接続部
１９  基板部
２０  電源プラグ部
２１  連通孔
２２  収納蓋部
２３  ケーシング
２４  モータ
２５  羽根
２６  吐出口
２７  吸気口
２８  枠部
２９  第１の本体ケース部
３０  第２の本体ケース部
３１  孔部
３２  連通孔部
３３  隙間
【図１】
2014035113.tif 000003
【図２】
2014035113.tif 000004
【図３】
2014035113.tif 000005
【図４】
2014035113.tif 000006
【図５】
2014035113.tif 000007
【図６】
2014035113.tif 000008
【図７】
2014035113.tif 000009
【図８】
2014035113.tif 000010